(57)【要約】      （修正有）【課題】同じ記録媒体に繰り返して印刷を行なう場合に、何回の印刷が実施済みであるかを示すことができる画像形成装置及びプログラムを提供する。【解決手段】画像形成装置２は、印刷データに基づいて、色材を用いて記録媒体に画像を印刷する印刷部８と、印刷部８による印刷データに基づく画像の印刷がなされた記録媒体に対し印刷部８が画像を繰り返して印刷する場合に、繰り返される印刷ごとに、印刷データに基づく画像とあわせて、印刷の繰り返し回数に関する情報を印刷するよう制御する印刷制御部６とを有する。【選択図】図１
2014178432.tif 000002
【特許請求の範囲】
【請求項１】
印刷データに基づいて、色材を用いて記録媒体に画像を印刷する印刷手段と、
前記印刷手段による印刷データに基づく画像の印刷がなされた記録媒体に対し前記印刷手段が画像を繰り返して印刷する場合に、繰り返される印刷ごとに、印刷データに基づく画像とあわせて、印刷の繰り返し回数に関する情報を印刷するよう制御する印刷制御手段と
を有する画像形成装置。
【請求項２】
前記印刷制御手段は、前記印刷手段による印刷データに基づく画像の印刷がなされた記録媒体に対し前記印刷手段が該画像の印刷に用いられた色材と同じ色材を用いて画像を重ねて繰り返し印刷する場合に、繰り返される印刷ごとに、印刷データに基づく画像とあわせて、印刷の繰り返し回数に関する情報を印刷するよう制御する
請求項１記載の画像形成装置。
【請求項３】
前記印刷制御手段は、前記印刷手段による印刷データに基づく画像の印刷がなされた記録媒体に対し前記印刷手段が透明色材を用いて画像を繰り返して印刷する場合に、繰り返される印刷ごとに、印刷データに基づく画像とあわせて印刷の繰り返し回数に関する情報を、有色色材を用いて印刷するよう制御する
請求項１又は２記載の画像形成装置。
【請求項４】
前記印刷制御手段は、前記印刷手段が、印刷データに基づく画像の印刷領域以外の予め定められた領域に、印刷の繰り返し回数に関する情報を印刷するよう制御する
請求項１乃至３いずれか記載の画像形成装置。
【請求項５】
前記印刷制御手段は、前記印刷手段が、繰り返される印刷ごとに、印刷データを識別する情報を印刷するよう制御する
請求項１乃至４いずれか記載の画像形成装置。
【請求項６】
前記印刷制御手段は、前記印刷手段が、繰り返される印刷ごとに、印刷対象の画像の頁番号を印刷するよう制御する
請求項１乃至５いずれか記載の画像形成装置。
【請求項７】
印刷データに基づいて、色材を用いて記録媒体に画像を印刷する印刷手段と、
前記印刷手段による印刷データに基づく画像の印刷がなされた記録媒体に対し前記印刷手段が画像を繰り返して印刷する場合に、印刷データに基づく画像の印刷先である記録媒体とは異なる記録媒体に、印刷の繰り返し回数に関する情報を印刷するよう制御する印刷制御手段と
を有する画像形成装置。
【請求項８】
前記印刷制御手段は、前記印刷手段が、少なくとも第１の色用色材により印刷される第１の画像と、第２の色以外に第１の色が含まれる第２の色用色材により印刷される第２の画像とを重ねて印刷する場合に、印刷データに基づく第１の画像の第１の色の成分値のデータについて第２の色用色材に含まれる第１の色の成分値のデータに応じた値だけ減じる補正をし、第１の画像については、補正された第１の色の成分値のデータに基づいて画像を印刷するよう制御する
請求項１乃至７いずれか記載の画像形成装置。
【請求項９】
前記印刷制御手段は、第１の画像に対し、第２の色用色材が用いられる第２の画像が繰り返し重ねて印刷される場合に、第１の画像の第１の色の成分値のデータについて、繰り返し回数と第２の色用色材に含まれる第１の色の成分値のデータとに応じた値だけ減じる補正をし、第１の画像については、補正された第１の色の成分値のデータに基づいて画像を印刷するよう制御する
請求項８記載の画像形成装置。
【請求項１０】
印刷データに基づいて、色材を用いて記録媒体に画像を印刷する印刷ステップと、
印刷データに基づく画像の印刷がなされた記録媒体に対し画像を繰り返して印刷する場合に、繰り返される印刷ごとに、印刷データに基づく画像とあわせて、印刷の繰り返し回数に関する情報を印刷するよう制御する印刷制御ステップと
をコンピュータに実行させるプログラム。
【請求項１１】
印刷データに基づいて、色材を用いて記録媒体に画像を印刷する印刷ステップと、
印刷データに基づく画像の印刷がなされた記録媒体に対し画像を繰り返して印刷する場合に、印刷データに基づく画像の印刷先である記録媒体とは異なる記録媒体に、印刷の繰り返し回数に関する情報を印刷するよう制御する印刷制御ステップと
をコンピュータに実行させるプログラム。
【請求項１２】
前記印刷制御ステップは、さらに、少なくとも第１の色用色材により印刷される第１の画像と、第２の色以外に第１の色が含まれる第２の色用色材により印刷される第２の画像とを重ねて印刷する場合に、印刷データに基づく第１の画像の第１の色の成分値のデータについて第２の色用色材に含まれる第１の色の成分値のデータに応じた値だけ減じる補正をし、第１の画像については、補正された第１の色の成分値のデータに基づいて画像を印刷するよう制御する
請求項１０又は１１記載のプログラム。
【発明の詳細な説明】
【技術分野】
【０００１】
本発明は、画像形成装置及びプログラムに関する。
【背景技術】
【０００２】
特許文献１は、クリアトナー用のデータと有色トナー用のデータとの重なりを視認性の良い状態で確認できる仕組を提供することを目的として、複数の有色トナーを用いて印刷される有色トナー用のデータ、及び光沢度調整用のクリアトナーを用いて印刷されるクリアトナー用のデータを重ねて印刷するクリアトナー印刷を印刷装置に指示する印刷制御装置であって、前記クリアトナー印刷のテストプリントの指示を受け付ける受け付け手段と、前記受け付け手段によりテストプリントの指示を受け付けた際に、前記有色トナー用のデータ内で指定されている色に対して識別可能な、それぞれ異なる第一の色及び第二の色を決定し、前記クリアトナー印刷で前記クリアトナー用のデータ内のクリアトナーが載る部分を前記第一の色で印刷するように指定し、前記クリアトナー印刷で前記クリアトナー用のデータ内のクリアトナーが載らない部分を前記第二の色で印刷するように指定する印刷指示を前記印刷装置に行う制御手段と、を有することを特徴とする印刷制御装置について開示している。
【０００３】
特許文献２は、エッジ情報と、レベル情報と、透明性の情報を含む複数のオブジェクトからなるオブジェクト・ベースのラスタ画像に透明性を与える方法において、画像内の現在のラスタ線と交差するオブジェクトのエッジ交差データを受取り、現在のピクセル位置で、どの対応するオブジェクトが能動かを決定する工程と、現在能動状態にある全てのオブジェクトに対して、最も高い能動不透明オブジェクト・レベルを決定する工程と、現在能動状態にある全てのオブジェクトに対して、最も高い能動透明オブジェクト・レベルを決定する工程と、最も高い能動不透明オブジェクト・レベルに相当するオブジェクト・レベル情報を出力する工程と、同時に、最も高い能動不透明オブジェクト・レベルと、最も高い能動透明オブジェクト・レベルの内のより高いレベルの方の透明情報に相当する透明情報を出力する工程と、を有することを特徴とするオブジェクト・ベースのラスタ画像に透明性を与える方法について開示している。
【０００４】
特許文献３は、シートにカラートナーと透明トナーとによるトナー像を形成する画像形成装置に対して、当該画像形成装置により前記シートに形成されるトナー像を表す色情報を出力する画像処理装置であって、入力された画像データから特徴領域を抽出する抽出手段と、前記画像データに基づいて前記カラートナーのトナー像を表す第１の色情報を算出する第１の算出手段と、前記抽出手段により抽出された前記特徴領域に対して所定量の前記透明トナーを付与することを表す第２の色情報を算出する第２の算出手段と、前記第１および第２の算出手段により算出された色情報を前記画像形成装置に出力する出力手段とを備えることを特徴とする画像処理装置について開示している。
【先行技術文献】
【特許文献】
【０００５】
【特許文献１】特開２０１０−０３３４１９号公報
【特許文献２】特開平０６−２３６１７６号公報
【特許文献３】特開２００７−１９９２９１号公報
【発明の概要】
【発明が解決しようとする課題】
【０００６】
本発明の目的は、同じ記録媒体に繰り返して印刷を行なう場合に、何回の印刷が実施済みであるかを示すことができる画像形成装置及びプログラムを提供することである。
【課題を解決するための手段】
【０００７】
請求項１に係る本発明は、印刷データに基づいて、色材を用いて記録媒体に画像を印刷する印刷手段と、前記印刷手段による印刷データに基づく画像の印刷がなされた記録媒体に対し前記印刷手段が画像を繰り返して印刷する場合に、繰り返される印刷ごとに、印刷データに基づく画像とあわせて、印刷の繰り返し回数に関する情報を印刷するよう制御する印刷制御手段とを有する画像形成装置である。
【０００８】
請求項２に係る本発明は、前記印刷制御手段は、前記印刷手段による印刷データに基づく画像の印刷がなされた記録媒体に対し前記印刷手段が該画像の印刷に用いられた色材と同じ色材を用いて画像を重ねて繰り返し印刷する場合に、繰り返される印刷ごとに、印刷データに基づく画像とあわせて、印刷の繰り返し回数に関する情報を印刷するよう制御する請求項１記載の画像形成装置である。
【０００９】
請求項３に係る本発明は、前記印刷制御手段は、前記印刷手段による印刷データに基づく画像の印刷がなされた記録媒体に対し前記印刷手段が透明色材を用いて画像を繰り返して印刷する場合に、繰り返される印刷ごとに、印刷データに基づく画像とあわせて印刷の繰り返し回数に関する情報を、有色色材を用いて印刷するよう制御する請求項１又は２記載の画像形成装置である。
【００１０】
請求項４に係る本発明は、前記印刷制御手段は、前記印刷手段が、印刷データに基づく画像の印刷領域以外の予め定められた領域に、印刷の繰り返し回数に関する情報を印刷するよう制御する請求項１乃至３いずれか記載の画像形成装置である。
【００１１】
請求項５に係る本発明は、前記印刷制御手段は、前記印刷手段が、繰り返される印刷ごとに、印刷データを識別する情報を印刷するよう制御する請求項１乃至４いずれか記載の画像形成装置である。
【００１２】
請求項６に係る本発明は、前記印刷制御手段は、前記印刷手段が、繰り返される印刷ごとに、印刷対象の画像の頁番号を印刷するよう制御する請求項１乃至５いずれか記載の画像形成装置である。
【００１３】
請求項７に係る本発明は、印刷データに基づいて、色材を用いて記録媒体に画像を印刷する印刷手段と、前記印刷手段による印刷データに基づく画像の印刷がなされた記録媒体に対し前記印刷手段が画像を繰り返して印刷する場合に、印刷データに基づく画像の印刷先である記録媒体とは異なる記録媒体に、印刷の繰り返し回数に関する情報を印刷するよう制御する印刷制御手段とを有する画像形成装置である。
【００１４】
請求項８に係る本発明は、前記印刷制御手段は、前記印刷手段が、少なくとも第１の色用色材により印刷される第１の画像と、第２の色以外に第１の色が含まれる第２の色用色材により印刷される第２の画像とを重ねて印刷する場合に、印刷データに基づく第１の画像の第１の色の成分値のデータについて第２の色用色材に含まれる第１の色の成分値のデータに応じた値だけ減じる補正をし、第１の画像については、補正された第１の色の成分値のデータに基づいて画像を印刷するよう制御する請求項１乃至７いずれか記載の画像形成装置である。
【００１５】
請求項９に係る本発明は、前記印刷制御手段は、第１の画像に対し、第２の色用色材が用いられる第２の画像が繰り返し重ねて印刷される場合に、第１の画像の第１の色の成分値のデータについて、繰り返し回数と第２の色用色材に含まれる第１の色の成分値のデータとに応じた値だけ減じる補正をし、第１の画像については、補正された第１の色の成分値のデータに基づいて画像を印刷するよう制御する請求項８記載の画像形成装置である。
【００１６】
請求項１０に係る本発明は、印刷データに基づいて、色材を用いて記録媒体に画像を印刷する印刷ステップと、印刷データに基づく画像の印刷がなされた記録媒体に対し画像を繰り返して印刷する場合に、繰り返される印刷ごとに、印刷データに基づく画像とあわせて、印刷の繰り返し回数に関する情報を印刷するよう制御する印刷制御ステップとをコンピュータに実行させるプログラムである。
【００１７】
請求項１１に係る本発明は、印刷データに基づいて、色材を用いて記録媒体に画像を印刷する印刷ステップと、印刷データに基づく画像の印刷がなされた記録媒体に対し画像を繰り返して印刷する場合に、印刷データに基づく画像の印刷先である記録媒体とは異なる記録媒体に、印刷の繰り返し回数に関する情報を印刷するよう制御する印刷制御ステップとをコンピュータに実行させるプログラムである。
【００１８】
請求項１２に係る本発明は、前記印刷制御ステップは、さらに、少なくとも第１の色用色材により印刷される第１の画像と、第２の色以外に第１の色が含まれる第２の色用色材により印刷される第２の画像とを重ねて印刷する場合に、印刷データに基づく第１の画像の第１の色の成分値のデータについて第２の色用色材に含まれる第１の色の成分値のデータに応じた値だけ減じる補正をし、第１の画像については、補正された第１の色の成分値のデータに基づいて画像を印刷するよう制御する請求項１０又は１１記載のプログラムである。
【発明の効果】
【００１９】
請求項１に係る本発明によれば、同じ記録媒体に繰り返して印刷を行なう場合に、何回の印刷が実施済みであるかを示すことができる画像形成装置を提供することができる。
【００２０】
請求項２に係る本発明によれば、請求項１に係る本発明の効果に加え、同じ色が繰り返して重ねて印刷される場合であっても、実施済みの印刷回数を示すことができる画像形成装置を提供することができる。
【００２１】
請求項３に係る本発明によれば、請求項１又は２に係る本発明の効果に加え、透明色により繰り返して印刷される場合であっても、実施済みの印刷回数を示すことができる画像形成装置を提供することができる。
【００２２】
請求項４に係る本発明によれば、請求項１乃至３いずれかに係る本発明の効果に加え、印刷データに基づいて印刷された画像に、繰り返し回数に関する情報が被って印刷されることを防ぐことができる画像形成装置を提供することができる。
【００２３】
請求項５に係る本発明によれば、請求項１乃至４いずれかに係る本発明の効果に加え、いずれの印刷データに基づく画像が印刷されたのかを示すことができる画像形成装置を提供することができる。
【００２４】
請求項６に係る本発明によれば、請求項１乃至５いずれかに係る本発明の効果に加え、いずれの頁が印刷されたのかを示すことができる画像形成装置を提供することができる。
【００２５】
請求項７に係る本発明によれば、同じ記録媒体に繰り返して印刷を行なう場合に、何回の印刷が実施済みであるかを示しつつ、印刷データに基づく画像が印刷される記録媒体に繰り返し回数に関する情報が印刷されるのを防ぐことができる画像形成装置を提供することができる。
【００２６】
請求項８に係る本発明によれば、請求項１乃至５いずれかに係る本発明の効果に加え、少なくとも第１の色用色材により印刷される第１の画像と、第２の色用色材により印刷される第２の画像とを重ねて印刷する場合に、第２の色用の色材に第１の色が混在していたとしても、本構成を有しない場合に比較して、より所望の色に近い色の仕上がりにすることができる画像形成装置を提供することができる。
【００２７】
請求項９に係る本発明によれば、請求項８に係る本発明の効果に加え、第１の画像に第２の画像を複数回重ねて印刷する場合であっても、本構成を有しない場合に比較して、より所望の色に近い色の仕上がりにすることができる画像形成装置を提供することができる。
【００２８】
請求項１０に係る本発明によれば、同じ記録媒体に繰り返して印刷を行なう場合に、何回の印刷が実施済みであるかを示すことができるプログラムを提供することができる。
【００２９】
請求項１１に係る本発明によれば、同じ記録媒体に繰り返して印刷を行なう場合に、何回の印刷が実施済みであるかを示しつつ、印刷データに基づく画像が印刷される記録媒体に繰り返し回数に関する情報が印刷されるのを防ぐことができるプログラムを提供することができる。
【００３０】
請求項１２に係る本発明によれば、請求項１０又は１１に係る本発明の効果に加え、少なくとも第１の色用色材により印刷される第１の画像と、第２の色用色材により印刷される第２の画像とを重ねて印刷する場合に、第２の色用の色材に第１の色が混在していたとしても、本構成を有しない場合に比較して、より所望の色に近い色の仕上がりにすることができるプログラムを提供することができる。
【図面の簡単な説明】
【００３１】
【図１】本発明の実施形態に係る画像形成装置２の模式図である。
【図２】印刷制御部６の構成の一例を示すブロック図である。
【図３】印刷制御部６の制御により印刷される、印刷の繰り返し回数に関する情報の一例を示す模式図である。（ａ）は、繰り返し回数に関する情報を示す画像９２が、印刷データに基づく画像９４とあわせて用紙９０に印刷されている様子を示している。ここで、（ｂ）〜（ｄ）は、画像９２を拡大したものであり、（ｂ）は、初回（１回目）の印刷において印刷される画像９２を示しており、（ｃ）は、繰り返しの３回目の印刷後の状態を示しており、（ｄ）は、繰り返しの最後（５回目）の印刷後の状態を示している。
【図４】本実施形態に係る画像形成装置２の動作の一例を示すフローチャートである。
【図５】印刷制御部６が、繰り返して印刷する場合に、印刷データに基づく画像の印刷先である記録媒体とは異なる記録媒体に、印刷の繰り返し回数に関する情報を印刷する例を示す模式図であり、（ａ）は、印刷データに基づく画像が印刷される用紙群１００、及び繰り返し回数に関する情報が印刷される用紙１０２、１０４を示し、（ｂ）は、用紙１０２になされる印刷の一例を示し、（ｃ）は、用紙１０４になされる印刷の一例を示す。
【図６】第２の実施形態に係る画像形成装置２の動作の一例を示すフローチャートである。
【図７】ステップ１０２におけるビットマップイメージへの展開処理の一例を示す模式図である。
【図８】ビットマップイメージを構成する矩形を表す矩形データの一例を示す表である。
【図９】複数の矩形データによりビットマップイメージを表した様子を示す模式図である。
【図１０】透明色用の色材に混入する色成分についての一例を示す表である。
【図１１】イエロー及びシアンの色材により形成される円形画像と、透明色用の色材により形成される長方形画像とを重ねて印刷する様子を示す模式図であり、（ａ）は、色の成分値について補正せずに印刷する場合を示し、（ｂ）は、円形画像の色の成分値について補正して印刷する場合を示している。
【図１２】イエロー及びシアンの色材により形成される円形画像と、透明色用の色材により形成される長方形画像とを重ねて印刷する場合における成分値データの補正について示す模式図であり、（ａ）は、補正前を示し、（ｂ）は、補正後を示している。
【図１３】レンダリングインテントの補正例を示す模式図である。
【発明を実施するための形態】
【００３２】
以下、本発明の第１の実施形態について図面を参照して詳細に説明する。図１は、本発明の実施形態に係る画像形成装置２の模式図である。
【００３３】
図１に示すように、画像形成装置２は、通信装置４、印刷制御部６、印刷部８、ユーザインタフェース（ＵＩ）装置１０を備えている。印刷部８は、画像形成ユニット１２、中間転写ベルト１４、用紙搬送路１６、用紙トレイ１８、定着器２０、排出トレイ２２などを有し、ページ記述言語（ＰＤＬ： ｐａｇｅ ｄｅｓｃｒｉｐｔｉｏｎ ｌａｎｇｕａｇｅ）などで表された印刷データに基づいて、色材を用いて記録媒体に画像を印刷する。
【００３４】
この画像形成装置２は、通信装置４によってネットワークを介して受信した印刷データに基づいて画像を印刷するプリント機能を備えている。なお、本実施形態では、通信装置４を介して入力された印刷データについてプリントする例を説明するが、画像形成装置２は、スキャナなどの画像読取装置から読み取った画像についてプリントしてもよいし、可搬型の記憶媒体に格納された画像を読み出してプリントしてもよい。
【００３５】
まず、画像形成装置２の概略を説明すると、画像形成装置２の例えば上部には、通信装置４及び印刷制御部６が配設されている。通信装置４は、ＬＡＮなどのネットワークを介して外部の装置と通信を行う、データ回線終端装置などの通信装置である。印刷制御部６は、画像形成装置２による印刷処理を制御する。例えば、印刷制御部６は、通信装置４を介して入力された印刷データに対して、画像処理を施し、画像形成ユニット１２に対して出力する。なお、印刷制御部６による制御の詳細は、後述する。
【００３６】
また、画像形成装置２の上面には、例えばタッチパネルなどのＵＩ装置１０が設けられている。ＵＩ装置１０は、画像形成装置２に動作に関する情報を表示すると共に、操作入力などのユーザによる入力を受入れる入出力装置として機能する。
【００３７】
画像形成装置２には、透明画像と有色画像とを形成するように、複数の画像形成ユニット１２が配設されている。画像形成装置２には、透明色（ＣＬ）の色材にて透明画像を形成する第１の画像形成ユニット１２ＣＬが配設されている。また、本実施形態では、黒（Ｋ）、イエロー（Ｙ）、マゼンタ（Ｍ）、シアン（Ｃ）の各色の色材にて、有色画像を形成しており、各色に対応して第２の画像形成ユニット１２Ｋ、第３の画像形成ユニット１２Ｙ、第４の画像形成ユニット１２Ｍ及び第５の画像形成ユニット１２Ｃも配設されている。なお、本実施形態では、色材としてトナーを用いて、電子写真方式によりプリントする例について説明するが、インクジェット方式のプリンタとして構成してもよい。ここで、各画像形成ユニット１２は、中間転写ベルト１４に沿って間隔を空けて例えば水平に配列されている。中間転写ベルト１４は、中間転写体として図中矢印Ａの方向に回動する。
【００３８】
これら５つの画像形成ユニット１２ＣＬ、１２Ｋ、１２Ｙ、１２Ｍ、１２Ｃは、印刷制御部６から入力されたデータに基づいて各色のトナー像を順次形成し、これら複数のトナー像が互いに重ね合わせられるタイミングで中間転写ベルト１４に転写（一次転写）する。なお、各画像形成ユニット１２ＣＬ、１２Ｋ、１２Ｙ、１２Ｍ、１２Ｃの色の順序は、透明（ＣＬ）、黒（Ｋ）、イエロー（Ｙ）、マゼンタ（Ｍ）、シアン（Ｃ）の順に限定されるものではなく、他の順序であってもよい。
【００３９】
用紙搬送路１６は、中間転写ベルト１４の下方に配設されている。用紙トレイ１８から供給された記録媒体である記録用紙２４は、この用紙搬送路１６上を搬送され、上記中間転写ベルト１４上に多重に転写された各色のトナー像が一括して転写（二次転写）され、転写されたトナー像が定着器２０によって定着され、矢印Ｂに沿って排出トレイ２２に排出される。
【００４０】
次に、画像形成装置２の各構成についてより詳細に説明する。
【００４１】
第１の画像形成ユニット１２ＣＬ、第２の画像形成ユニット１２Ｋ、第３の画像形成ユニット１２Ｙ、第４の画像形成ユニット１２Ｍ及び第５の画像形成ユニット１２Ｃは、水平方向に間隔をおいて並列的に配置され、形成する画像の色が異なる他は、同様に構成されている。そこで、以下、第１の画像形成ユニット１２ＣＬについて説明する。なお、各画像形成ユニット１２の構成は、ＣＬ、Ｋ、Ｙ、Ｍ又はＣを付すことにより区別する。
【００４２】
画像形成ユニット１２ＣＬは、印刷制御部６から入力された画像データに応じてレーザ光を走査する光走査装置２６ＣＬと、この光走査装置２６ＣＬにより走査されたレーザ光により静電潜像が形成される像形成装置２８ＣＬとを有する。
【００４３】
光走査装置２６ＣＬは、半導体レーザ３０ＣＬを透明色（ＣＬ）の画像データに応じて変調して、この半導体レーザ３０ＣＬからレーザ光ＬＢ（ＣＬ）を画像データに応じて出射する。この半導体レーザ３０ＣＬから出射されたレーザ光ＬＢ（ＣＬ）は、第１の反射ミラー３２ＣＬ及び第２の反射ミラー３４ＣＬを介して回転多面鏡３６ＣＬに照射され、この回転多面鏡３６ＣＬよって偏向走査され、第２の反射ミラー３４ＣＬ、第３の反射ミラー３８ＣＬ及び第４の反射ミラー４０ＣＬを介して、像形成装置２８ＣＬの感光体ドラム４２ＣＬ上に照射される。
【００４４】
像形成装置２８ＣＬは、矢印Ａの方向に沿って所定の回転速度で回転する像担持体としての感光体ドラム４２ＣＬと、この感光体ドラム４２ＣＬの表面を一様に帯電する帯電手段としての一次帯電用のスコロトロン４４ＣＬと、感光体ドラム４２ＣＬ上に形成された静電潜像を現像する現像器４６ＣＬと、クリーニング装置４８ＣＬとから構成されている。感光体ドラム４２ＣＬは、スコロトロン４４ＣＬにより一様に帯電され、光走査装置２６ＣＬにより照射されたレーザ光ＬＢ（ＣＬ）により静電潜像を形成される。感光体ドラム４２ＣＬに形成された静電潜像は、現像器４６ＣＬにより透明色（ＣＬ）のトナーで現像され、中間転写ベルト１４に転写される。なお、トナー像の転写工程の後に感光体ドラム４２ＣＬに付着している残留トナー及び紙粉等は、クリーニング装置４８ＣＬによって除去される。
【００４５】
他の画像形成ユニット１２Ｋ、１２Ｙ、１２Ｍ及び１２Ｃも、上記と同様に、黒（Ｋ）、イエロー（Ｙ）、マゼンタ（Ｍ）、シアン（Ｃ）の各色のトナー像を形成し、形成された各色のトナー像を中間転写ベルト１４に転写する。
【００４６】
中間転写ベルト１４は、ドライブロール５０と、第１のアイドルロール５２と、ステアリングロール５４と、第２のアイドルロール５６と、バックアップロール５８と、第３のアイドルロール６０との間に一定のテンションで掛け回されており、駆動モータ（不図示）によってドライブロール５０が回転駆動されることにより、矢印Ａの方向に、定められた速度で循環駆動される。この中間転写ベルト１４は、例えば、可撓性を有するポリイミド等の合成樹脂フィルムを帯状に形成し、この帯状に形成された合成樹脂フィルムの両端を溶着等によって接続することにより無端ベルト状に形成されたものである。
【００４７】
また、中間転写ベルト１４には、各画像形成ユニット１２ＣＬ、１２Ｋ、１２Ｙ、１２Ｍ、１２Ｃに対向する位置にそれぞれ第１の一次転写ロール６２ＣＬ、第２の一次転写ロール６２Ｋ、第３の一次転写ロール６２Ｙ、第４の一次転写ロール６２Ｍ及び第５の一次転写ロール６２Ｃが配設され、感光体ドラム４２ＣＬ、４２Ｋ、４２Ｙ、４２Ｍ、４２Ｃ上に形成された各色のトナー像は、これらの一次転写ロール６２により中間転写ベルト１４上に多重に転写される。なお、中間転写ベルト１４に付着した残留トナーは、二次転写位置の下流に設けられたベルト用クリーニング装置６３のクリーニングブレード又はブラシにより除去される。
【００４８】
用紙搬送路１６には、用紙トレイ１８から記録用紙２４を取り出す給紙ローラ６４と、用紙搬送用の第１のローラ対６６、第２のローラ対６８及び第３のローラ対７０と、記録用紙２４を既定のタイミングで二次転写位置に搬送するレジストロール７２とが配設される。
【００４９】
また、用紙搬送路１６上の二次転写位置には、バックアップロール５８に圧接する二次転写ロール７４が配設されており、中間転写ベルト１４上に多重に転写された各色のトナー像は、この二次転写ロール７４による圧接力及び静電気力で記録用紙２４上に二次転写される。各色のトナー像が転写された記録用紙２４は、第１の搬送ベルト７６及び第２の搬送ベルト７８によって定着器２０へと搬送される。
【００５０】
定着器２０は、上記各色のトナー像が転写された記録用紙２４に対して加熱処理及び加圧処理を施すことにより、トナーを記録用紙２４に溶融固着させる。定着器２０による加圧処理を経た記録用紙２４は、排出トレイ２２に排出される。
【００５１】
次に印刷制御部６について説明する。図２は、印刷制御部６の構成の一例を示すブロック図である。
印刷制御部６は、例えば図２に示すように、ＣＰＵ８０、メモリ８２、ハードディスクドライブ（ＨＤＤ）等の記憶装置８４及びデータの入出力を行なう入出力インタフェース（ＩＦ）８６が制御バス８８を介して相互に接続されることにより構成され、コンピュータとしての機能を備えており、画像形成装置２を構成する各部を制御する。
【００５２】
ＣＰＵ８０は、メモリ８２または記憶装置８４に格納されたプログラムに応じた処理を実行する。なお、プログラムをメモリ８２や記憶装置８４から提供するのではなく、当該プログラムをＣＤ−ＲＯＭ等の記録媒体に格納して提供することも可能である。この記録媒体は磁気ディスク、半導体メモリまたはその他の記録媒体であってもよい。
【００５３】
入出力ＩＦ８６は、データの入出力を行なうインタフェースであり、例えば、印刷制御部６と通信装置４との間で行われるデータの送受信、印刷制御部６と印刷部８との間で行なわれるデータの送受信など用いられる。
【００５４】
印刷制御部６は、例えば、入出力ＩＦ８６により入力されたページ記述言語などの印刷データに基づいて、黒（Ｋ）、イエロー（Ｙ）、マゼンタ（Ｍ）、シアン（Ｃ）の少なくともいずれかの色により印刷される有色画像、透明色（ＣＬ）により印刷される透明画像のラスタライズ処理（展開処理）などの画像処理を行い、処理後の画像データを画像形成ユニット１２へと出力し、有色画像、透明画像が印刷されるよう印刷部８を制御する。
【００５５】
また、印刷制御部６は、印刷部８によって既に印刷データに基づく画像の印刷がなされた記録媒体に対し、印刷部８が画像を繰り返して印刷する場合に、繰り返される印刷ごとに、印刷データに基づく画像とあわせて、印刷の繰り返し回数に関する情報を印刷するよう制御する。ここで、印刷制御部６は、印刷の繰り返し回数に関する情報については、有色色材を用いて印刷するよう制御する。
【００５６】
例えば、印刷の繰り返し回数Ｎ（Ｎは、１以上の整数）は、印刷データ（印刷ジョブ）により指定されている。本実施形態では、Ｎ回の繰り返しのうち、１回目の印刷において、少なくとも透明画像が印刷され、以降、Ｎ回目までの印刷においては、１回目に印刷された透明画像を重ねて印刷する。例えば、１回目の印刷において、有色画像と透明画像が重なるように印刷し、以降、Ｎ回目までの印刷において、１回目に印刷された透明画像を重ねて印刷する。なお、例えば、印刷面に光沢を出すためなどに、透明色の色材を用いた透明画像の印刷が行なわれるが、他の用途のために透明画像を重ねて印刷してもよい。
【００５７】
なお、本実施形態では、繰り返し中の各印刷が行なわれるごとに、ユーザが、排出トレイ２２に排出された印刷済みの用紙を用紙トレイ１８へと再び戻すことにより、繰り返し中の次の印刷に向けた用紙の準備がなされるが、印刷がなされた用紙を用紙トレイ１８へと搬送する搬送機構を設け、画像形成装置２によって自動で次の印刷に向けた用紙の準備を行うよう構成してもよい。
【００５８】
また、本実施形態の印刷制御部６は、上述のように、繰り返しの印刷において透明画像を重ねて繰り返し印刷する場合に、繰り返される印刷ごとに、印刷データに基づく画像とあわせて、印刷の繰り返し回数に関する情報を印刷するよう制御するが、繰り返して印刷されるのは、透明画像に限らず有色画像であってもよい。例えば、印刷制御部６は、印刷部８によって既に印刷データに基づく画像の印刷がなされた記録媒体に対し、印刷部８がこの画像の印刷に用いられた色材と同じ色材を用いて画像を重ねて繰り返し印刷する場合に、繰り返される印刷ごとに、印刷データに基づく画像とあわせて、印刷の繰り返し回数に関する情報を印刷するよう制御してもよい。
【００５９】
また、繰り返される印刷において、画像が重ねて印刷されなくてもよい。例えば、各回の印刷で、異なる画像が、記録媒体上の異なる位置に印刷される場合に、繰り返される印刷ごとに、印刷データに基づく画像とあわせて、印刷の繰り返し回数に関する情報を印刷するよう制御してもよい。
【００６０】
図３は、印刷制御部６の制御により印刷される、印刷の繰り返し回数に関する情報の一例を示す模式図である。ここでは、印刷データによりｍページに亘って画像が印刷されるものとし、図３では、そのうち５ページ目が印刷される用紙９０を例に説明する。なお、ユーザは、初回の印刷により排出トレイ２２に排出されたｍ枚の用紙を用紙トレイ１８へと置く。用紙トレイ１８に用紙を置いたユーザによって、例えば、ＵＩ装置１０を介して指示を受けることにより、画像形成装置２は、２回目の用紙トレイ１８に置かれた用紙に２回目の印刷を行なう。このとき、ｍページのうち、印刷データにより２回目の印刷が指示された画像の印刷先のページに、２回目の印刷がなされる。このようにして、３回目以降についても印刷が繰り返される。
【００６１】
図３（ａ）は、繰り返し回数に関する情報を示す画像９２が、印刷データに基づく画像９４とあわせて用紙９０に印刷されている様子を示している。また、図３（ｂ）〜（ｄ）は、図３（ａ）に図示されている繰り返し回数に関する情報を示す画像９２を拡大したものである。なお、ここでは、計５回繰り返して印刷が行なわれる場合を例にしており、図３（ｂ）は、初回（１回目）の印刷において印刷される画像９２を示しており、図３（ｃ）は、繰り返しの３回目の印刷後の状態を示しており、図３（ｄ）は、繰り返しの最後（５回目）の印刷後の状態を示している。
【００６２】
図３（ａ）に示されるように、例えば、印刷制御部６は、印刷データに基づく画像９４の印刷領域以外の予め定められた領域に、印刷の繰り返し回数に関する情報を示す画像９２を印刷するよう制御する。なお、図３（ａ）に示される例では、用紙９０を後に断裁する際に、断裁により切除される領域に、画像９２を印刷している。
【００６３】
また、図３（ｂ）に示されるように、例えば、１回目の印刷の際に、画像９２として、全繰り返し回数分（本例では、５回分）のチェック欄を印刷するとともに、１回目の印刷が行なわれたことを示すため、１回目のチェック欄に印を印刷する。ここでは、印として、当該印刷を指示する印刷データを識別する情報であるジョブＩＤと、印刷対象の画像９４のページ番号とを印刷している。なお、例えば、全てのページに同じ画像を繰り返して印刷する場合には、印としてのページ番号を印刷しなくてもよい。また、例えば、繰り返して印刷されないページについては、印としてのページ番号の印刷をしなくてもよいし、さらに、画像９２自体の印刷をしなくてもよい。
【００６４】
また、図３（ｃ）及び（ｄ）に示されるように、２回目以降の印刷では、印刷の繰り返し回数に関する情報として、各回に対応したチェック欄に印が印刷される。
【００６５】
このように、図３（ｂ）〜（ｄ）では、ジョブＩＤが「２４５８」の印刷データに基づく画像であり、かつ、５ページ目に印刷されるよう指示されている画像が、用紙９０に計５回印刷されていることがわかる。これにより、例えば、ユーザは、用紙９０が、ｍ枚の用紙束のうち５ページ目であることを確認し、５ページ目の用紙にジョブＩＤが「２４５８」の画像が予め定められた回数だけ印刷されていることを把握する。なお、例えば、いずれかの回のチェック欄において、「２４５８」以外のジョブＩＤ若しくは「５」以外のページ番号が印刷されている場合、又はいずれかの回のチェック欄が空欄となっている場合には、ユーザは、画像９２を確認することにより、所望の繰り返し印刷がなされていないことを把握する。したがって、例えば、ユーザが、繰り返し印刷の際に、ｍ枚の用紙のうち、一部の用紙について用紙トレイ１８への移動漏れがあった場合に、ユーザは、画像９２を確認することにより、誤ったページに画像が印刷されてしまったことを把握する。
【００６６】
なお、図３に示すように、繰り返し回数に応じた記録媒体上の位置（図３に示す例では、繰り返し回数に応じたチェック欄）に印を印刷してもよいし、繰り返し回数に応じた色により印を印刷してもよい。例えば、１回目は、赤で印を印刷し、２回目は黄色で印を印刷するなどして、繰り返し回数に応じて予め定められた色により印を印刷してもよい。また、印としては、ジョブＩＤやページ番号に限らず、繰り返し回数に応じた数字（例えば、１回目であれば「１」、２回目であれば「２」とする）を印として印刷してもよい。
【００６７】
図４は、本実施形態に係る画像形成装置２の動作の一例を示すフローチャートである。
【００６８】
ステップ１００（Ｓ１００）において、印刷データを受付け、ステップ１０２（Ｓ１０２）において、受付けた印刷データに基づいてラスタライズ処理（展開処理）を行なう。なお、本実施形態のステップ１０２における展開処理は、後述する図７による展開処理に限定されない。
【００６９】
ステップ１０４（Ｓ１０４）では、繰り返して印刷するか否かを判定し、用紙に対して繰り返して印刷しない場合には、ステップ１０６へ移行し、用紙に対して繰り返して印刷する場合には、ステップ１０８へと移行する。なお、繰り返して印刷するか否かは、印刷データにより指定されていてもよいし、ユーザがＵＩ装置１０などを介して指定してもよい。
【００７０】
ステップ１０６（Ｓ１０６）では、通常の印刷として、印刷データに基づく画像が用紙に印刷され、処理が終了する。
【００７１】
一方、ステップ（Ｓ１０８）では、ステップ１０２で展開された画像に、繰り返し回数に関する情報を示す画像を例えば図３のように合成する。なお、図３により説明した通り、ここでは、当該印刷が何回目の印刷であるかに応じた情報を合成する。
【００７２】
ステップ１１０（Ｓ１１０）において、印刷データに基づく画像とあわせて印刷の繰り返し回数に関する情報を印刷し、繰り返しの最後の印刷を行なった場合には（ステップ１１２でＹｅｓ）、処理を終了し、次の印刷を繰り返す場合には（ステップ１１２でＮｏ）、ステップ１０８へと戻る。
【００７３】
以上説明した実施形態では、図３に示すように、印刷データに基づく画像が印刷されたページの断裁領域に、繰り返し回数に関する情報を印刷する例を示したが、繰り返し回数に関する情報は、印刷データに基づく画像が印刷されるページとは、異なるページに印刷されてもよい。
【００７４】
図５は、印刷制御部６が、繰り返して印刷する場合に、印刷データに基づく画像の印刷先である記録媒体とは異なる記録媒体に、印刷の繰り返し回数に関する情報を印刷する例を示す模式図である。ここでは、図５（ａ）に示されるように、印刷制御部６は、印刷データに基づく画像が印刷される用紙群１００の前後の用紙１０２及び用紙１０４に、繰り返し回数に関する情報が印刷されるよう制御している。図５（ｂ）は、用紙１０２に印刷される、繰り返し回数に関する情報の一例を示し、図５（ｃ）は、用紙１０４に印刷される、繰り返し回数に関する情報の一例を示す。なお、図５に示した例では、印刷データに基づく画像が印刷される用紙群１００の前後に、繰り返し回数に関する情報を印刷する例を示しているが、用紙群１００の前又は後のいずれかに印刷するようにしてもよいし、用紙群１００の間に挿入された用紙に印刷されるようにしてもよい。
【００７５】
また、以上の説明では、印刷データによって、印刷の繰り返し回数が指定されているもとして説明したが、印刷データに繰り返し回数の指定がなくてもよい。例えば、ＵＩ装置１０により繰り返し回数を指定してもよいし、そもそも、繰り返し回数を指定せず、ユーザの所望の回数だけ印刷するよう、ユーザが画像形成装置２に対して操作を行ってもよい。また、繰り返される印刷ごとに異なる印刷データに基づく印刷がなされてもよい。
【００７６】
次に、本発明の第２の実施形態について説明する。第２の実施形態では、少なくとも第１の色用色材により印刷される第１の画像と、第２の色以外に第１の色が含まれる第２の色用色材により印刷される第２の画像とを重ねて印刷する場合に、第１の画像の第１の色の成分値を補正する点で、第１の実施形態と異なる。
【００７７】
第２の実施形態の印刷制御部６は、印刷部８が、少なくとも第１の色用色材により印刷される第１の画像と、第２の色以外に第１の色が含まれる第２の色用色材により印刷される第２の画像とを重ねて印刷する場合に、印刷データに基づく第１の画像の第１の色の成分値のデータについて第２の色用色材に含まれる第１の色の成分値のデータに応じた値だけ減じる補正をし、第１の画像については、補正された第１の色の成分値のデータに基づいて画像を印刷するよう制御する。
【００７８】
例えば、ここでは、第１の色をイエロー、第２の色を透明色として説明する。また、透明色用のトナーは、完全に透明色ではなく、イエローの色成分が混じっている場合を想定して説明する。この場合、印刷部８が少なくともイエローのトナーにより印刷される第１の画像と、透明色用のトナーにより印刷される第２の画像とを重ねて印刷するとき、第２の実施形態の印刷制御部６は、印刷データに基づく第１の画像のイエローの成分値データについて透明色用トナーに含まれるイエローの成分に応じた値だけ減じる補正を行う。
【００７９】
以下、１回目の印刷では、有色トナーを用いる画像と透明色用トナーを用いる画像とを重ねて印刷し、２回目以降の印刷では、１回目の印刷で透明色用トナーを用いて印刷した画像に重ねて、透明色用トナーを用いて画像を印刷する場合を例に説明する。なお、印刷は、繰り返さずに１回で終了してもよい。
【００８０】
図６は、第２の実施形態に係る画像形成装置２の動作の一例を示すフローチャートである。図６に示すフローチャートは、ステップ２００及びステップ２０２が追加されている点で、図３に示したフローチャートと異なる。
【００８１】
ステップ２００及びステップ２０２について説明する前に、まず、図６中のステップ１０２におけるビットマップイメージへの展開処理について説明する。
【００８２】
図７は、ステップ１０２におけるビットマップイメージへの展開処理の一例を示す模式図である。ページ記述言語で記載された印刷データにおいて、直線やベジェ曲線等の指定によって作られた閉領域は、十分な精度を持った折れ線による表現に近似され、スキャンライン（１ピクセル幅の走査線）単位の厚さの矩形の集合に変換される。そして、これら矩形領域の塗りつぶしの繰り返しによって、ページ記述言語により表された閉領域に対応するビットマップイメージへと展開される（図７参照）。なお、直線又は曲線の指定と線幅の指定とによって描画指定された線についても、このように矩形領域により構成されるビットマップイメージに展開してもよい。また、本実施形態では、図７に示されるような方法によりビットマップイメージに展開するが、他の方法によりビットマップイメージに展開するよう構成してもよい。
【００８３】
図８は、ビットマップイメージを構成する矩形を表す矩形データの一例を示す表である。図８に示されるように、矩形データは、次の矩形データを指し示すポインタ、当該矩形が配置されるスキャンラインの位置（整数）、当該矩形を構成する画素の始点の位置（整数）、当該矩形を構成する画素の終点の位置（整数、ただし、始点の位置の値よりも大きい。）、当該矩形の透明、黒、イエロー、マゼンタ、シアンの各色の成分値である色値、及びレンダリングインテントに関する情報を含む構造体により表されている。印刷制御部６は、このような矩形データを用いて、図９に示されるように、ビットマップイメージを表す。
【００８４】
なお、レンダリングインテントとは、色変換についての設定であり、ＩＣＣ（Ｉｎｔｅｒｎａｔｉｏｎａｌ Ｃｏｌｏｒ Ｃｏｎｓｏｒｔｉｕｍ）プロファイルでは、「Ｓａｔｕｒａｔｉｏｎ」（彩度優先）、「Ｐｅｒｃｅｐｔｕａｌ」（知覚的）、「Ａｂｓｏｌｕｔｅ」（絶対的）、「Ｒｅｌａｔｉｖｅ」（相対的）の４つの分類を規定している。例えば、「Ｓａｔｕｒａｔｉｏｎ」は、色変換前後における色味の維持よりも彩度の維持を優先するよう変換する設定である。
【００８５】
また、図８に示した例では、黒、イエロー、マゼンタ、シアンの各色の成分値については、０から２５５までのいずれかの整数値をとり、透明色の成分値については、０から１０２３までのいずれかの整数値をとる。これは、印刷の繰り返しにより、透明色による色材による印刷が最大で４回可能であること、及び有色色材による印刷が最大で１回（初回印刷のみ）であることと対応している。もちろん、繰り返し回数は、最大４回に限られず、その場合には、繰り返し回数に応じて、透明色の成分値の最大値は変わることとなる。また、有色色材による印刷についても繰り返して印刷可能とする場合には、成分値の最大値は２５５ではなく、繰り返し回数に応じた値となる。なお、矩形データにおける各項目の具体的な値は、印刷データに基づいて定まる。
【００８６】
本実施形態における印刷制御部６は、矩形データにおける色の成分値を補正し、補正後の成分値に基づいて印刷するよう制御する。以下、図６のステップ２００又はステップ２０２における補正処理について説明する。
【００８７】
ここでは、図１０に示すように、透明色用の色材の成分値２５５に対し、成分値２の比率でイエローが混入している場合を例に説明する。なお、色材（ここでは、透明色用色材）に混入している色ごとの成分値については、予め測定されており、図１０に示すようなデータとして、画像形成装置２に記憶されている。また、透明色以外の他の色の画像を重ねて印刷する際に補正する場合には、イエロー、マゼンタ、シアン、黒などの他の色の色材について、図１０と同様のデータを画像形成装置２が記憶している。
【００８８】
図１１は、イエロー及びシアンの色材により形成される円形画像と、透明色用の色材により形成される長方形画像とを重ねて印刷する様子を示す模式図であり、図１１（ａ）は、色の成分値について補正せずに印刷する場合を示し、図１１（ｂ）は、円形画像の色の成分値について補正して印刷する場合を示している。なお、図１１に示した例では、長方形画像の一部が円形画像の右下部分に重なるよう印刷される例を示している。
【００８９】
図１１（ａ）に示されるように、透明色用の色材にて形成される長方形画像は、上記の通り、完全な透明色ではなくイエロー成分が混入しており、円形画像のうち長方形画像と重なる部分と重ならない部分とでは、色味に差が発生する。
【００９０】
一方、図１１（ｂ）に示した例では、印刷制御部６が、円形画像のうち長方形画像と重なる部分について、円形画像に指定されたイエローの成分値から、透明色用の色材に混入するイエローの成分値を差し引く補正を行っており、これによって、重ね印刷に伴う円形画像の色味の変化が抑制される。なお、この際、印刷制御部６は、円形画像を構成する各矩形のうち長方形画像と重なる矩形について、長方形画像と重なる部分からなる矩形と重ならない部分からなる矩形に分離し、長方形画像と重なる部分からなる矩形の矩形データについて補正を行う。
【００９１】
このように、図６のステップ２００及びステップ２０２では、色の成分値について補正する処理を行っている。ただし、ステップ２００では、少なくとも第１の色用色材により印刷される第１の画像に対して、第２の色以外に第１の色が含まれる第２の色用色材により印刷される第２の画像が１回重ねて印刷される場合を対象として、第１の画像の第１の色の成分値から、第２の画像の印刷１回分の成分値を減ずる補正を行っている。これに対し、ステップ２０２では、第１の画像に対して、第２の画像が複数回繰り返して重ねて印刷される場合を対象として、第１の画像の第１の色の成分値のデータについて、繰り返し回数と第２の色用色材に含まれる第１の色の成分値のデータとに応じた値だけ減じる補正をし、第１の画像については、補正された第１の色の成分値のデータに基づいて画像を印刷するよう制御する。
【００９２】
図１２は、イエロー及びシアンの色材により形成される円形画像と、透明色用の色材により形成される長方形画像とを重ねて印刷する場合における成分値データの補正について示す模式図であり、図１２（ａ）は、補正前を示し、図１２（ｂ）は、補正後を示している。図１２に示した例では、透明色用の色材により形成される長方形画像を２回印刷する例を示しており、上述のステップ２０２の処理が行われている。なお、図１２では、円形画像の最下部のスキャンラインの補正処理についてのみ例示しているが、円形画像の他のスキャンラインについても同様の処理が繰り返されている。
【００９３】
図１２（ａ）に示すように、スキャンライン位置：１３０、始点：１１０、終点：１２０からなる円形画像の矩形については、イエロー及びシアンがそれぞれ成分値：４０で印刷されるよう指示されており、さらに、この矩形に対し、始点：１１６、終点１３２の長方形画像の矩形が重ねて印刷されるよう指示されている。ここで、長方形画像の矩形については、透明色の成分値として、５１０（＝２５５×２回）が指示されている。
【００９４】
ここで、図１０に示すように、透明色用の色材の成分値２５５に対し、成分値２の比率でイエローが混入しているので、図１２に示すように、円形画像の矩形のうち、長方形画像と重なる部分については、イエローの成分値４０から、４（＝２×２回）が差し引かれるよう補正される。その結果、始点：１１０、終点：１１５からなる矩形については、長方形画像が重ならないので成分値に変更はなく、始点：１１６、終点：１２０からなる矩形については、シアンの成分値は４０のままであるが、イエローの成分値が３６と補正されている。
【００９５】
なお、成分値を減ずる補正を行う場合、補正後の成分値は、０以上であるものとする。例えば、円形画像のもともとのイエローの成分値が２であった場合、補正により４差し引く場合には、補正後の成分値は、−２ではなく、０とする。
【００９６】
また、第１の画像が第１の色のみにより印刷されるよう印刷データによって指示されており、指定された成分値が予め定められた値以下の場合には、補正を行わないよう構成してもよい。
【００９７】
また、成分値の補正のみならず、レンダリングインテントについても補正するよう構成してもよい。例えば、有色色材により印刷される画像（有色画像）に、透明色用の色材により印刷される画像（透明画像）を重ねる場合には、有色画像と透明画像とが重なる部分の矩形データのレンダリングインテントを、印刷データによる指定にかかわらず、Ｓａｔｕｒａｔｉｏｎに変更する。
【００９８】
図１３は、レンダリングインテントの補正例を示す模式図である。このように、円形画像の元の矩形データについて、色の成分値を補正するのみならず、レンダリングインテントについて、「Ｓａｔｕｒａｔｉｏｎ」へと変更する補正を行ってもよい。なお、図１３に示した例では、透明画像は、有色画像である円形画像の全体に被さっている。有色画像の全体が透明画像に覆われている場合に有色画像のすべての矩形データのレンダリングインテントを変更するよう補正すれば、有色画像を構成する矩形ごとのばらつきが生じないため望ましい。しかしながら、有色画像の全体が透明画像に覆われているか否かにかかわらず、有色画像の矩形のうち透明画像と重なる矩形についてのみレンダリングインテントの変更を行なうよう構成してもよい。
【００９９】
例えば、写真画像やイラスト画像などの有色画像に対する強調効果を期待して、光沢のある透明色材で覆って印刷することがある。このような場合、鮮やかさを維持するレンダリングインテントである「Ｓａｔｕｒａｔｉｏｎ」により印刷することにより、有色画像はさらに強調される。
【０１００】
以上、第２の実施形態について説明したが、第２の実施形態の印刷制御部６の構成として、第１の実施形態として説明した印刷の繰り返し回数に関する情報を印刷する制御については省略する構成としてもよい。
【符号の説明】
【０１０１】
２        ：画像形成装置
４        ：通信装置
６        ：印刷制御部
８        ：印刷部
１０      ：ＵＩ装置
１２      ：画像形成ユニット
１８      ：用紙トレイ
２０      ：定着器
２２      ：排出トレイ
２４      ：記録用紙
８０      ：ＣＰＵ
８２      ：メモリ
８４      ：記憶装置
８６      ：入出力ＩＦ
８８      ：制御バス
【図１】
2014178432.tif 000003
【図２】
2014178432.tif 000004
【図３】
2014178432.tif 000005
【図４】
2014178432.tif 000006
【図５】
2014178432.tif 000007
【図６】
2014178432.tif 000008
【図７】
2014178432.tif 000009
【図８】
2014178432.tif 000010
【図９】
2014178432.tif 000011
【図１０】
2014178432.tif 000012
【図１１】
2014178432.tif 000013
【図１２】
2014178432.tif 000014
【図１３】
2014178432.tif 000015